(57)【要約】【課題】通話中のタッチパネルの誤動作を回避することが可能な携帯端末を提供する。【解決手段】携帯端末は、文字および画像を表示する表示手段を有する携帯端末であって、表示手段の表面の接触を検知可能な第１および第２の入力検知エリアを有するタッチパネルと、表示手段が設けられる側と反対側に設けられた音声を出力するレシーバと、表示手段が設けられる側と反対側に設けられた音声を入力するマイクと、携帯端末全体を制御する制御手段とを備える。制御手段は、携帯端末の通話時にタッチパネルの第１および第２の入力検知エリアのうちの一方の入力検知エリアの感度を調整する。【選択図】図６
2013201490.tif 000002
【特許請求の範囲】
【請求項１】
文字および画像を表示する表示手段を有する携帯端末であって、
前記表示手段の表面の接触を検知可能な第１および第２の入力検知エリアを有するタッチパネルと、
前記表示手段が設けられる側と反対側に設けられた音声を出力するレシーバと、
前記表示手段が設けられる側と反対側に設けられた音声を入力するマイクと、
前記携帯端末全体を制御する制御手段とを備え、
前記制御手段は、前記携帯端末の通話時に前記タッチパネルの第１および第２の入力検知エリアのうちの一方の入力検知エリアの感度を調整する、携帯端末。
【請求項２】
前記制御手段は、前記携帯端末の通話時に前記タッチパネルの一方の入力検知エリアの検知に従って通話中か否かを判断する、請求項１記載の携帯端末。
【請求項３】
前記制御手段は、通話中であると判断した場合には、前記表示手段の画面をオフする、請求項２記載の携帯端末。
【請求項４】
前記制御手段は、前記携帯端末の通話時に前記タッチパネルの他方の入力検知エリアの検知に従って所定の入力操作を受け付ける、請求項２記載の携帯端末。
【発明の詳細な説明】
【技術分野】
【０００１】
本発明は、携帯電話等の携帯端末に係り、特にタッチパネルを備えた携帯端末に関する。
【背景技術】
【０００２】
携帯電話機をはじめとする携帯端末には、ユーザからの操作指示を受け付けるための種々の入力装置が搭載されている。この入力装置のうち、タッチパネル等、直感的な動作で操作指示を入力することができるものも最近使われている。このタッチパネルは、操作面に対する接触に伴う静電容量や接触圧力の変化を感知するタッチセンサにより得られた入力位置情報に基づいて、操作指示を受け付けるようになっている。
【０００３】
タッチパネルが搭載されている携帯電話機は、その構成上特に通話中に誤動作が起きやすいため、従来から様々な誤動作回避技術が検討されている（特許文献１−３）。
【０００４】
例えば、通話時に顔や耳がタッチパネルに近づくと、タッチパネル近傍にある近接センサが感知し、タッチパネルをロックして入力を受け付けなくするといった技術がある。また、通話中のタッチパネルの接触領域または、押圧力に関する閾値を変更することで誤動作を防止したり、あるいは、通話中でのタッチパネルの入力有効エリアを制限する携帯電話機の技術が開示されている。
【０００５】
一方で、タッチパネルが搭載されている携帯端末には、音声出力のレシーバと音声入力のマイクロフォンが、タッチパネルと同一面に備えられている。そのため、通話中にタッチパネルが顔や耳に当たり、タッチセンサが感知して誤動作してしまう場合や、タッチパネルが化粧品や皮脂で汚れる場合もある。
【０００６】
この点で、特許文献４においては、レシーバとマイクロフォンをタッチパネルと反対面に配置する場合が示されており、当該構成により誤動作を防ぐ方式が示されている。
【先行技術文献】
【特許文献】
【０００７】
【特許文献１】特開２０００−３４９８８６号公報
【特許文献２】特開２００２−１３５３６９号公報
【特許文献３】特開２０１０−２０４０５号公報
【特許文献４】特開２０１１−８２７２４号公報
【発明の概要】
【発明が解決しようとする課題】
【０００８】
しかしながら、上記特許文献４においては、通話時にタッチパネルと顔や耳とが接触しないものの携帯端末の持ち手がタッチパネルに接触するため誤動作を生じさせる可能性がある。
【０００９】
本発明は上記の問題を考慮してなされたもので、通話中のタッチパネルの誤動作を回避することが可能な携帯端末を提供することを目的とする。
【課題を解決するための手段】
【００１０】
本発明のある局面に従う携帯端末は、文字および画像を表示する表示手段を有する携帯端末であって、表示手段の表面の接触を検知可能な第１および第２の入力検知エリアを有するタッチパネルと、表示手段が設けられる側と反対側に設けられた音声を出力するレシーバと、表示手段が設けられる側と反対側に設けられた音声を入力するマイクと、携帯端末全体を制御する制御手段とを備える。制御手段は、携帯端末の通話時にタッチパネルの第１および第２の入力検知エリアのうちの一方の入力検知エリアの感度を調整する。
【００１１】
好ましくは、制御手段は、携帯端末の通話時にタッチパネルの一方の入力検知エリアの検知に従って通話中か否かを判断する。
【００１２】
特に、制御手段は、通話中であると判断した場合には、表示手段の画面をオフする。
特に、制御手段は、携帯端末の通話時にタッチパネルの他方の入力検知エリアの検知に従って所定の入力操作を受け付ける。
【発明の効果】
【００１３】
通話中のタッチパネルの誤動作を回避することが可能である。
【図面の簡単な説明】
【００１４】
【図１】本発明の実施の形態に従う携帯端末１の主な機能構成を示す概略的な機能ブロック図である。
【図２】本発明の実施の形態に従う携帯端末１の外観図である。
【図３】ユーザが携帯端末１を持って通話している時の概略を説明する図である。
【図４】本発明の実施の形態に従うタッチパネル３における入力検知エリアを説明する図である。
【図５】本発明の実施の形態に従う感度閾値レベルの調整を説明する図である。
【図６】本発明の実施の形態に従う通話時の処理を説明するフロー図である。
【図７】本発明の実施の形態に従う携帯端末１を操作する場合を説明する図である。
【発明を実施するための形態】
【００１５】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１６】
本発明を適用する携帯端末として、ユーザがディスプレイを指で触れることで操作指示を入力することができる携帯端末を例に挙げて説明する。
【００１７】
図１は、本発明の実施の形態に従う携帯端末１の主な機能構成を示す概略的な機能ブロック図である。
【００１８】
図１を参照して、携帯端末１は、主制御部２、タッチパネル３、表示部４、記憶部５、音声制御部６、レシーバ７、マイク８、情報記憶媒体９、通信制御部１０、アンテナ１１とを含む。
【００１９】
主制御部２は、主にＣＰＵ（Ｃｅｎｔｒａｌ Ｐｒｏｃｅｓｓｉｎｇ Ｕｎｉｔ）で構成されており、主制御部２は、情報記憶媒体９に記憶された各種プログラムに基づき動作して、携帯端末１の総括的な制御を行う。
【００２０】
主制御部２は、入力制御部２１および表示制御部２２を含む。入力制御部２１は、タッチパネル３からの検知信号を入力位置の座標を示す情報として受け取る。また、表示制御部２２は、文書データや画像信号に基づいた画像等を表示部４に表示させる。
【００２１】
音声制御部６は、主制御部２の制御に基づいて、マイク８で集音された音声からアナログ音声信号を生成し、このアナログ音声信号をデジタル音声信号に変換する。また音声制御部６は、デジタル音声信号を取得すると、主制御部２の制御に基づいて、このデジタル音声信号をアナログ音声信号に変換し、レシーバ７から音声として出力する。
【００２２】
通信制御部１０は、主制御部２の制御に基づいて、基地局からアンテナ１１を介して受信した受信信号を処理してデータを復元する。このデータは、主制御部２の指示により、音声制御部６に伝送されてレシーバ７から出力されたり、表示制御部２２の制御に従い表示部４に表示されたり、または記憶部５に記録されたりする。
【００２３】
また、通信制御部１０は、主制御部２の制御に基づいて、マイク８で集音された音声データやタッチパネル３で検知した入力データや記憶部５に記憶されたデータを取得すると、これらのデータの処理を行い、基地局に対してアンテナ１１を介して送信する。
【００２４】
情報記憶媒体９（コンピュータにより読み取り可能な媒体）は、プログラムやデータなどを格納するものであり、その機能は、ハードディスク、或いはメモリ（Ｆｌａｓｈ Ｍｅｍｏｒｙ、ＲＯＭ：Ｒｅａｄ Ｏｎｌｙ Ｍｅｍｏｒｙ）などにより実現できる。情報記憶媒体９は、本実施形態の各部としてコンピュータを機能させるためのプログラム（各部の処理をコンピュータに実行させるためのプログラム）、複数のアプリケーション等が記憶される。
【００２５】
記憶部５は、主制御部２や通信制御部１０などのワーク領域となるもので、その機能はＲＡＭ（Ｒａｎｄｏｍ Ａｃｃｅｓｓ Ｍｅｍｏｒｙ）などにより実現できる。
【００２６】
図２は、本発明の実施の形態に従う携帯端末１の外観図である。
図２（Ａ）は操作面である正面であり、（Ｂ）は（Ａ）の背面で操作面と反対側となる面である。
【００２７】
携帯端末１は、筐体１２を備える。この筐体１２の一方の正面（図１（Ａ））には、タッチパネル３が大部分を占めて構成される。
【００２８】
タッチパネル３は、表示部４を覆うようにして設けられ、接触動作を検出する。表示部４は、例えばＬＣＤ（Ｌｉｑｕｉｄ Ｃｒｙｓｔａｌ Ｄｉｓｐｌａｙ）、有機ＥＬ（ＥｌｅｃｔｒｏＬｕｍｉｎｅｓｃｅｎｃｅ）ディスプレイ、無機ＥＬディスプレイで構成される。
【００２９】
タッチパネル３は、操作面に対して接触する接触物の動作を検出することにより指示を受け付ける。接触物としては、例えばユーザの指やスタイラスペンなどが該当する。タッチパネル３上で接触物の動作を検知する方法には、圧力の変化を感知する感圧式、静電気による電気信号を感知する静電式、その他の方法を適用することができる。接触物の動作は、接触が行われた位置を示す座標の情報で検出される。この情報は、例えばタッチパネル３の短辺方向および長手方向の二軸上の座標値で表わされる。
【００３０】
タッチパネル３のある操作面と反対側の背面（図２（Ｂ））には、筐体１２の長手方向における対向位置に、音声を入力するためのマイク８と、音声を出力するためのレシーバ７がそれぞれ配置される。
【００３１】
音声発信または着信時において、ユーザはレシーバ７およびマイク８が実装されている背面（図２（Ｂ））を、顔に近づけて通話を行う。このとき、タッチパネル３は顔と反対側の面、つまり持ち手側の面を向くことになるので、顔や耳によるタッチパネル３の誤動作や汚れを防ぐことができる。
【００３２】
図３は、ユーザが携帯端末１を持って通話している時の概略を説明する図である。
図３を参照して、ユーザーが左手で携帯端末１を把持した状態を表す。表示部４が手のひら側に把持され、レシーバ７とマイク８は、ユーザーの耳側に配置するように把持される。当該図に示されるようにタッチパネル３は顔と反対側の面、つまり持ち手側の面を向くことになるので、顔や耳によるタッチパネル３の誤動作や汚れを防ぐことができる。
【００３３】
また、タッチパネル３が持ち手の掌側にあるため、ユーザは通話中に、タッチパネル３に対し持ち手の指で音量調整、ミュート等といった操作が可能である。
【００３４】
図４は、本発明の実施の形態に従うタッチパネル３における入力検知エリアを説明する図である。
【００３５】
図４を参照して、タッチパネル３における長手方向において２つの領域に分割されている場合が示されている。
【００３６】
本例においては、一例として、長手方向のＹＡに近い側と、ＹＢに近い側とで２つの領域に分割した場合について説明する。
【００３７】
具体的には、Ａ１〜Ａ２のエリア（上側検知エリアとも称する）と、Ｂ１〜Ｂ２のエリア（下側検知エリアとも称する）とに分割した場合が示されている。なお、両エリアの間にはエリアを区別するためのマージンが設けられているが、特に当該マージンを設けない構成とすることも可能である。
【００３８】
本例においては、通話時と通話時以外の際において検知エリアの感度閾値レベルを調整する。
【００３９】
図５は、本発明の実施の形態に従う感度閾値レベルの調整を説明する図である。
図５を参照して、エリアの位置に応じてタッチパネル３表面の感度閾値レベルの調整を図る場合が示されている。当該図に示されているように、通常使用時の場合には、検知エリア全面において感度閾値レベルは一定である。一方で、通話使用時の場合には、Ｂ１〜Ｂ２のエリア（下側検知エリア）の感度閾値レベルを上げる。
【００４０】
ユーザーが着信から通話状態に移行した場合の、タッチパネルの感度閾値レベルを変更する場合を示す。縦向き状態でＹ方向のＡ１〜Ａ２までのエリア（上側検知エリア）は、通常時と通話時とでタッチパネルの感度閾値レベルの変化はない。一方、Ｂ１〜Ｂ２までのエリア（下側検知エリア）は、通常時よりも通話時のタッチパネルの感度閾値レベルを下げる。すなわち、閾値レベルを下げるため下側検知エリアの感度は上がる。したがって、通話時に携帯端末の持ち手が接触するタッチパネルの下側検知エリアの感度を上げることにより、携帯端末を把持している場合に、持ち手が携帯端末のタッチパネルに接触していなくても接触状態と検知して通話中であると判断することが可能である。当該検知により通話中と判断し、表示部４の表示をオフにする。通話中の場合、顔や耳は、携帯端末１の背面側に接触されているため表示部４を見ることはなくその場合に表示部４をオフすることにより消費電力を削減することが可能である。
【００４１】
図６は、本発明の実施の形態に従う通話時の処理を説明するフロー図である。主に主制御部２における処理である。
【００４２】
図６を参照して、まず、オフフックしたかどうかを判断する（ステップＳ２）。
具体的には、携帯端末１が着呼し、ユーザーが図示しない発話ボタンを押下（タップ）してオフフックしたかどうかを判断する（ステップＳ２）。当該発話ボタンは、図示しないが携帯端末１に固定ボタンとして設けられているものとする。なお、固定ボタンとして設けるのではなく、一例として携帯端末１が着呼した場合に、表示部４に発話ボタンが表示されるようにすることも可能である。
【００４３】
次に、オフフックしたと判断した場合（ステップＳ２においてＹＥＳ）には、主制御部２は、通話を開始する（ステップＳ４）。これによりユーザーは、マイク８およびレシーバ７を用いて相手と音声通信することが可能である。
【００４４】
次に、主制御部２は、感度閾値レベルを調整する（ステップＳ６）。具体的には、入力制御部２１で入力として検知する感度閾値レベルを調整する。本例においては、図５で説明したように下側検知エリアにおいて感度閾値レベルを上げる。
【００４５】
次に、主制御部２は、下側検知エリアにおいて検知が有るかどうかを判断する（ステップＳ８）。具体的には、携帯端末１を把持して下側検知エリアに持ち手が接触した状態であるかどうかを判断する。
【００４６】
ステップＳ８において下側検知エリアにおいて検知が有ると判断した場合（ステップＳ８においてＹＥＳ）には、表示部４における表示をオフする（ステップＳ１０）。表示部４における表示をオフにすることにより消費電力を削減することができる。
【００４７】
次に、オンフックしたかどうかを判断する（ステップＳ１２）。具体的には、ユーザーが図示しない終話ボタンを押下（タップ）してオフフックしたかどうかを判断する（ステップＳ１２）。なお、当該終話ボタンは、図示しないが携帯端末１に固定ボタンとして設けられているものとする。
【００４８】
ステップＳ１２において、オンフックしたと判断した場合（ステップＳ１２においてＹＥＳ）には、主制御部２は、通話を終了する（ステップＳ１４）。
【００４９】
そして、処理を終了する（エンド）。また、ステップＳ２においてオフフックしない場合にも処理を終了する（エンド）。具体的には、オフフックしない場合として着信拒否等が挙げられる。
【００５０】
一方、ステップＳ１２において、オンフックしてないと判断した場合（ステップＳ１２においてＮＯ）には、上側検知エリアにおいて検知が有るかどうかを判断する（ステップＳ１６）。
【００５１】
ステップＳ１６において、上側検知エリアにて検知が有ると判断した場合（ステップＳ１６においてＹＥＳ）には、検知に従う動作を実行する（ステップＳ１８）。具体的には、一例として上側検知エリアにおいて上下にフリック操作することにより音量を調節することが可能である。他の操作によりミュート処理を実行することも可能である。
【００５２】
そして、再び、ステップＳ８に戻る。以降の処理については上記したのと同様であるのでその詳細な説明は繰り返さない。
【００５３】
また、ステップＳ１６において、上側検知エリアにて検知が無いと判断した場合（ステップＳ１６においてＮＯ）には、ステップＳ８に戻る。
【００５４】
図７は、本発明の実施の形態に従う携帯端末１を操作する場合を説明する図である。
通話中に表示オフの状態でも上側検知エリアは、通常のタッチパネルの感度閾値レベルに設定されている。記憶部５には、上側検知エリアにおいて、通話時において、あらかじめ入力される操作方式に関する情報が保持されており、ユーザーは、表示部４の表示がオフ状態でもタッチパネル３の上側検知エリアを操作可能である。一例として、人差し指を上下にフリック操作することで、音量の調整をすることができる。当該操作により機械的なボリュームキー等を携帯端末１に設ける必要がない。
【００５５】
なお、本例においては、上側検知エリアにおいて上下にフリック操作することで音量の調節をする場合について説明したが、音量の調節だけでなく、文字等の入力も可能であるものとする。たとえば、ダブルタップ操作することにより指で文字入力することが可能な文字入力モードとなり、上側検知エリアにおいて人差し指でなぞった数字を入力することが可能である。当該入力した文字等の情報は、記憶部５に格納されるものとする。たとえば、通話中に相手からの音声に従って数字等の文字等をメモとして入力することが可能である。たとえば、日付や、電話番号等を表示部４を見なくても指操作に従って文字入力することにより利便性が高い携帯端末とすることが可能である。
【００５６】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００５７】
１  携帯端末、２  主制御部、３  タッチパネル、４  表示部、５  記憶部、６  音声制御部、７  レシーバ、８  マイク、９  情報記憶媒体、１０  通信制御部、１１  アンテナ、１２  筐体、２１  入力制御部、２２  表示制御部。
【図１】
2013201490.tif 000003
【図２】
2013201490.tif 000004
【図３】
2013201490.tif 000005
【図４】
2013201490.tif 000006
【図５】
2013201490.tif 000007
【図６】
2013201490.tif 000008
【図７】
2013201490.tif 000009